(57)【要約】【課題】  映像音声信号データの送受信を行う広帯域無線通信システムにおいて、待機状態にあるときに、従来方式の広帯域無線通信機のように大きな消費電流を必要としない待機電力の削減システムを提供すること。【解決手段】  主として映像音声信号のデジタル変調したデータを広帯域無線通信により送受信者１，６の間で送受信するための無線通信機において、それらの無線通信機に、映像音声信号データの通信を行う広帯域無線通信部３，７と該広帯域無線通信部３，７を制御するための制御信号データの通信を行う狭帯域無線通信部４，８とによる２系統のデータ通信手段を具備させ、前記狭帯域無線通信部４，８をオン状態にしておき、当該狭帯域無線通信部４，８に伝送される制御指示データにより前記広帯域無線通信部３，７のオン，オフを含む動作状態の制御を行うようにしたこと。【選択図】図１
2005223443.tif 000002
【特許請求の範囲】
【請求項１】
主として映像音声信号のデジタル変調したデータを広帯域無線通信により送受信者間で送受信するための無線通信機において、それらの無線通信機に、映像音声信号データの通信を行う広帯域無線通信部と該広帯域無線通信部を制御するための制御信号データの通信を行う狭帯域無線通信部とによる２系統のデータ通信手段を具備させ、前記狭帯域無線通信部をオン状態にしておき、当該狭帯域無線通信部に伝送される制御指示データにより前記広帯域無線通信部のオン，オフを含む動作状態の制御を行うようにしたことを特徴とする高速無線データ通信機における待機電力の削減システム。
【請求項２】
オン状態にしておく狭帯域無線通信部は、送信者側の狭帯域無線通信部、又は、受信者側の狭帯域無線通信部、若しくは送，受信者双方の狭帯域無線通信部である請求項１の高速無線データ通信機における待機電力の削減システム。
【請求項３】
送信者側の狭帯域無線通信部がオン状態であるとき、受信者の狭帯域無線通信部は、オン状態又はオフ状態のいずれかに設定されている請求項２の高速無線データ通信機における待機電力の削減システム。
【請求項４】
狭帯域無線通信部は、その通信帯域周波数に400MHz又は1.2GHzを使用する請求項１〜３のいずれかの高速無線データ通信機における待機電力の削減システム。
【請求項５】
狭帯域無線通信部を常時又は間欠的に待機状態となるようにした請求項１〜４のいずれかの高速無線データ通信機における待機電力の削減システム。
【発明の詳細な説明】
【技術分野】
【０００１】
本発明は、例えばテレビジョン放送用のチューナから出力される映像音声信号、或は、ＤＶＤやＨＤＤなどの記録媒体に収められている映像音声信号を無線通信機から電波として出力する一方、この送信電波を受信し、その受信データを復調して映像音声信号を再生し受像機（モニタ）へ出力するようにした高速無線データ通信機器における待機電力の削減システムに関する。
【背景技術】
【０００２】
近時、テレビジョン放送の受信端子から離れた場所で良好な質のテレビ放送を見たり、或は、近年普及が著しいいわゆるDVDやHDDに記録された画像データや音声データなどを伝送しそれを離れた場所で再生するため、無線通信機を用いたデータ通信が行われるようになりつつある。
【０００３】
上記のような映像音声信号のデータ伝送においては広帯域無線通信機が用いられている。この通信機では、映像音声信号のデータ送信側の通信機が、映像音声信号のデータのほかに機器全体の制御に係る信号データ、或は、伝送される映像音声信号データの伝送状態の制御を行う信号データなどの制御信号を、前記映像音声信号データの伝送の合間に、時間的に分割して送信する形態が採られている。
【０００４】
また、上記の制御信号データを、上記のように映像音声信号データの伝送の合間に時分割して送信する形態ではなく、映像音声信号データ伝送用の広帯域の一部を分割した狭帯域の周波数帯域において伝送する方式もある。
【０００５】
ところで、上記のような映像音声信号データの送受信での受信した映像音声信号データの再生においては、例えば、テレビジョン放送のチャンネルの変更をしたい場合、或は、信号ソースをテレビジョンからDVDに切換えたい場合に、受信モニタ側の機器にはそのような変更や切換え機能を具備していないため、当該変更や切換えを要請するための信号データを受信側通信機から送信側通信機へ送信する必要があると共に、送信側の通信機はそのような受信側からの要請信号データをいつでも受信できるように常時待機しておく必要がある。この待機状態は、例えば送信側の通信機がOFF状態にあるときでも、受信側からの「送信側通信機をONにする」制御信号データを待ち受けるため、送信側機器の無線データ通信機の受信回路部を常時ON状態に保持しておく必要がある。
【０００６】
しかし乍ら、テレビジョン放送などの映像音声信号をデジタルデータに変調して行うデータ送信のような広帯域の無線通信機器では、仮に受信回路部だけであってもON状態では通常300mA程度以上の電流が流れるため、受信側モニタが視聴されていないときでも、この映像音声信号データの無線通信機を受信側から要請があれば直ちに動作可能な状態に保持しておくと、それだけでも常時300mA程度以上の電流を消費してしまうという問題がある。
【発明の開示】
【発明が解決しようとする課題】
【０００７】
そこで本発明では、映像音声信号データの送受信を行う広帯域無線通信システムにおいて、待機状態にあるときに、従来方式の広帯域無線通信機のように大きな消費電流を必要としない待機電力の削減システムを提供することを課題とするものである。
【課題を解決するための手段】
【０００８】
上記課題を解決することを目的としてなされた本発明待機電力の削減システムの構成は、主として映像音声信号のデジタル変調したデータを広帯域無線通信により送受信者間で送受信するための無線通信機において、それらの無線通信機に、映像音声信号データの通信を行う広帯域無線通信部と該広帯域無線通信部を制御するための制御信号データの通信を行う狭帯域無線通信部とによる２系統のデータ通信手段を具備させ、前記狭帯域無線通信部をオン状態にしておき、当該狭帯域無線通信部に伝送される制御指示データにより前記広帯域無線通信部のオン，オフを含む動作状態の制御を行うようにしたことを特徴とするものである。
【０００９】
本発明において、狭帯域無線通信部の帯域に、一例として400MHzの無線通信機を用いると、待機電流を10mA程度に抑制することができる。また、この狭帯域無線通信部を間欠的に待機状態となるようにすれば、消費電力は更に削減できる。
【発明の効果】
【００１０】
送信側の広帯域無線通信機で映像音声信号データの送信を行っていないとき、当該通信機を完全にOFF状態にしても、受信側の狭帯域無線通信機から送信側の狭帯域無線通信機に送信側の広帯域無線通信機の制御信号データを送信することにより、送信側では制御回路を介してその広帯域無線通信機をON状態に制御することができる。
【発明を実施するための最良の形態】
【００１１】
次に本発明の実施の形態例について説明する。図１は本発明無線通信機における電力削減システムを適用した高速無線データ通信システムを説明するためのブロック図である。
【００１２】
図１において、１は、TVチューナやＤＶＤ，ＨＤＤ再生機器などを備えてなる映像音声信号ソース２を有し、該信号ソースの映像音声信号をデジタル変調したデータHdを後述する受信者６に向けて高速送信する送信者であり、この送信者１は前記デジタルデータHdを高速で無線送信するための広帯域無線通信部３と、受信者６の狭帯域無線通信部８から送られる制御データCd1を受信する狭帯域無線通信部４と、受信した制御データCd1を制御回路５を経由させて前記広帯域無線通信部３を制御する制御回路５を具備して形成されている。
【００１３】
受信者６は、送信者１からその広帯域無線通信部３によって送信される映像音声信号の高速データHdを広帯域無線通信部７で受信し、これを復調して映像，音声信号を後述するAVモニタ10によって再生をするための処理を行う当該広帯域無線通信部７と、前記送信者１の狭帯域無線通信部４に対して制御信号データCd1を送信できる狭帯域無線通信部８と、当該通信部８と前記広帯域通信部７との間に介在させた制御回路９とを備えて形成されている。制御回路９は、広帯域無線通信部７からAVモニタ10への映像音声信号を出力させる制御機能と、AVモニタ10から送られる制御信号の入力機能と、狭帯域無線通信部８へ出力する制御信号の出力機能を備えている。
【００１４】
上記例においては、送信者１と受信者６における夫々の広帯域と狭帯域の各通信部３，４と同７，８は、送信者専用と受信者専用のそれぞれ広帯域無線通信部３と７、及び、狭帯域無線通信部４と８として述べたが、本発明システムにおいては、前記の広帯域と狭帯域の各通信部３，４、同７，８は、図示した送信者１が受信者として、また受信者６が送信者として振舞うことができる機能を持つ通信機器が用いられている。
【００１５】
ここで、広帯域無線通信部３と７の通信帯域は、例えば2.4GHz又は5.2GHzであり、狭帯域無線通信部４と８の通信帯域は、例えば400MHz又は1.2GHzである。
【００１６】
本発明高速無線通信機における電力削減システムでは、消費電力を削減するためにデジタル変調された高速データHdを送受信する送信者１と受信者６の広帯域無線通信部３と７は、いずれも常時OFF状態にしておくと共に、待受け時、送信者１と受信者６の狭帯域無線通信部４と８を、次の状態にしておくことに特徴がある。即ち、送信者１と受信者６のいずれか一方又は双方の狭帯域無線通信部４と８を常時ON状態にしておくか、或は、適宜インターバルで間欠的ON状態にして待機するのである。
【００１７】
上記送信者１と受信者６の各通信部が上記の状態の中で、一例として、送信者１の狭帯域無線通信部４のみをオン状態又は間欠的にオン状態にし、他の通信部３，７，８はすべてオフ状態にしているとき、受信者６のAVモニタ10に具備されたスイッチ又はリモコンスイッチにより、「送信者１からの送信を求める」旨の信号(a)を選択するスイッチを操作すると、前記モニタ10が備えた制御回路（図示せず）から当該モニタ10に接続された２つの無線通信部７と８を結ぶ制御回路９に、上記(a)の制御信号が入力される。
【００１８】
上記制御信号(a)を入力した受信者６の制御回路９は、それが接続されている広帯域無線通信部７と狭帯域無線通信部８に、夫々をオン状態にする制御信号(b)を出力すると同時に、送信者１の狭帯域無線通信部４に対し、当該送信者１の広帯域無線通信部３をオン状態にするための制御信号Cd1を送信する。
【００１９】
上記受信者６の狭帯域無線通信部８から出力された制御信号Cd1は、送信者１の狭帯域無線部４の受信機能がオン状態又は間欠的オン状態であるため、この無線通信部４に受信される。制御信号Cd1を受信した送信者１の狭帯域無線通信部４は、制御回路５にその旨の信号(c)を出力する。この信号(c)を入力した制御回路５は、映像音声信号ソース２と広帯域無線通信部３をオン状態にする信号(d)を出力する。このとき、制御回路５は、映像音声信号ソース２に対し受信者６から受信した信号Cd1に含まれた信号ソースの選択信号も併せて出力し、送信者１の広帯域無線通信部３が受信者６に送信すべきソース信号の種類を選択させる。広帯域無線通信部３は、選択したソース信号を変調し電波として送信する。受信者６の広帯域無線通信部７はこれを受信・復調して映像音声信号を再生し、モニタ10へ出力する。
【００２０】
本発明では、一例として上記手順を踏むことにより、本発明システムにおける通信状態が確立される。
【００２１】
本発明では、上記例の受信者６の側からのコントロールによる通信状態の確立のほか、送信者１の側からのコントロールによって通信状態を確立する形態を採ることができる。
例えば、送信者１の側に通信機能の選択操作部などが設置されている場合には、受信者６の側の狭帯域無線通信部８を常時又は間欠的にオン状態に設定すると共に、他の通信部３，４，７をオフ状態にして待ち受け状態を設定していれば、送信者１の狭帯域無線通信部４から受信者６の狭帯域無線通信部８に対する制御信号を出力して送信者１と受信者６の間の通信状態を確立することができる。
【００２２】
上記の実施の一例で説明したように本発明では、送信者１の側から映像音声信号ソース２の中から選択されてデジタル変調された高速データHdを送受信するため、広帯域無線通信部３と７を常時オフ状態に置いて待受け、狭帯域無線通信部４のみ、より具体的にはその受信部のみを常時オン状態又は間欠的にオン状態に保持して待受け状態にしておけば、待機電流は通信帯域が400MHz又は1.2GHzであるため、10mA程度に抑制でき、送信者１と受信者６の広帯域無線通信部３及び／又は７を常時オン状態で待受け状態にした場合に消費される少なくとも300mA程度の電力の消費を省くことができる。
【産業上の利用可能性】
【００２３】
本発明は以上の通りであって、映像音声信号などのデータを高速で無線通信するための広帯域無線通信部を待受け状態におかず、該広帯域無線通信部の起動を含む制御信号データを送受信するための狭帯域無線通信部のみを待受け状態で設置することにより、待受け時の消費電力が大きな広帯域無線通信部を通信時にのみON状態にするから、待受け時の消費電力を大巾にカットすることが可能になる。
【図面の簡単な説明】
【００２４】
【図１】本発明無線通信機における電力削減システムを適用した高速無線データ通信システムを説明するためのブロック図。
【符号の説明】
【００２５】
１    送信者
２    映像音声信号ソース
３    広帯域無線通信部
４    狭帯域無線通信部
５    制御回路
６    受信者
７    高帯域無線通信部
８    狭帯域無線通信部
９    制御回路
10    AVモニタ
【図１】
2005223443.tif 000003